(57)【要約】【課題】  背もたれと椅子型本体との間に作業スペースを確保しつつ、簡易さ操作でカバー部の開閉を行うことができる。【解決手段】  トイレ１０は、便器本体１８を備えた椅子型本体１２と、便器本体１８の上方に設置される便座２０と、椅子型本体１２に揺動自在に取り付けられて便座２０の開口部を開閉自在に覆うカバー部１４と、椅子型本体１２に支持された背もたれ１６とを備えている。カバー部１４は、２カ所で相互に揺動自在に連結された３つの分割片１４Ａ乃至１４Ｃから成っている。これらの分割片１４Ａ乃至１４Ｃは、揺動により水平状態に保持された第一片１４Ａを底辺とする三角形を形成するように折り畳まれて、椅子型本体１２と背もたれ１６との間の空間を通過して椅子型本体１２の後方に変位することにより便座２０の開口部を開き状態とすると同時に、作業スペース２６を形成する。【選択図】        図２
2008212217.tif 000002
【特許請求の範囲】
【請求項１】
便器本体を備えた椅子型本体と、前記便器本体の上方に設置される便座と、前記椅子型本体に揺動自在に取り付けられて前記便座の開口部を開閉自在に覆うカバー部と、前記椅子型本体に支持された背もたれとを備えたトイレにおいて、前記カバー部は、２カ所以上で相互に揺動自在に連結された複数の分割片から成っていることを特徴とするトイレ。
【請求項２】
請求項１に記載されたトイレであって、前記カバー部を構成する前記複数の分割片は、揺動により多角形を形成するように折り畳まれて、前記椅子型本体と前記背もたれとの間の空間を通過して前記椅子型本体の後方に変位することにより前記便座の開口部を開き状態とすることを特徴とするトイレ。
【請求項３】
請求項１又は請求項２のいずれかに記載されたトイレであって、前記カバー部を構成する前記複数の分割片は、前記椅子型本体に直結された第一片により他の前記分割片を支持するように折り畳まれることを特徴とするトイレ。
【請求項４】
請求項１乃至請求項３のいずれかに記載されたトイレであって、前記カバー部を構成する前記複数の分割片のうち前記椅子型本体に直結された第一片は、前記椅子型本体に対して揺動することにより前記便座とは反対方向を向くように保持されて前記椅子型本体から突出することを特徴とするトイレ。
【請求項５】
請求項１乃至請求項４のいずれかに記載されたトイレであって、前記カバー部を構成する前記複数の分割片は、前記便座の開口部を開き状態とした状態で、前記背もたれと前記椅子型本体との間に、腕を入れることができる作業スペースを形成するように折り畳まれることを特徴とするトイレ。
【請求項６】
請求項１乃至請求項５のいずれかに記載されたトイレであって、前記カバー部を構成する各前記分割片の揺動方向における幅は、前記椅子型本体と前記背もたれとの間の距離よりも短く形成されていることを特徴とするトイレ。
【請求項７】
請求項１乃至請求項６のいずれかに記載されたトイレであって、前記カバー部を構成する前記複数の分割片のうち前記椅子型本体に直結された第一片は、他の前記分割片よりも揺動方向における幅が長く形成されていることを特徴とするトイレ。
【請求項８】
請求項１乃至請求項７のいずれかに記載されたトイレであって、前記カバー部を構成する前記複数の分割片のうち前記椅子型本体に直結された第一片とは最も反対側の最終片は引き手を有し、前記最終片は、前記便座の開口部を開き状態としたときに前記引き手が前記椅子型本体と前記背もたれとの間の空間に臨むように配置されることを特徴とするトイレ。
【請求項９】
請求項１乃至請求項８のいずれかに記載されたトイレであって、前記カバー部は、２カ所で連結された３つの分割片から成り、揺動により、前記複数の分割片のうち前記椅子型本体に連結されて水平方向に保持された第一片により他の前記分割片を支持する三角形状に折り畳まれて、前記便座の開口部を開き状態とすることを特徴とするトイレ。
【発明の詳細な説明】
【技術分野】
【０００１】
本発明は、主に介護用の簡易型トイレ等として使用されるトイレの改良に関し、特に、簡易に製造することができると同時に、取扱いの容易性を向上することに関するものである。
【背景技術】
【０００２】
例えば、病気や怪我、老齢等の理由により、固定型の水洗トイレまで赴くことが困難である人が、排泄を円滑に行うことができるように、任意の箇所に設置可能な簡易型のポータブルトイレが使用されることがある。このようなポータブルトイレは、通常の居室空間に設置される関係上、一般のソファや椅子としても使用することができる家具調の形態を備え、通常では便器本体や便座を覆う座面となるカバー部を有すると共に、身体が不自由な方でも安心して使用することができるように、背もたれが設置されていることが多い。
【０００３】
従来のこの種のトイレにおいては、このカバー部は、２つに折り畳むことにより開閉できるように設置され、便座の開口部を開き状態としたときには、２つに折り畳まれたカバー部が、トイレ本体と背もたれとの間の空間に配置されるように構成されたものが知られている（例えば、特許文献１参照）。しかし、このように、２つに折り畳まれたカバー部が、背もたれとトイレ本体の間の空間を塞ぐようにして配置されると、介護者が、この背もたれとトイレ本体の間の空間に後方から手や腕等を差し入れて、介護作業に当たることが困難となる問題がある。
【０００４】
一方、２つに折り畳まれたカバー部が、この背もたれとトイレ本体との間の空間を塞がないように、カバー部をスライド機構等により便座面よりも下方にまで退避させれば、介護者の作業スペースを確保することはできる（例えば、特許文献２及び３参照）。しかし、排泄終了後に、再びカバー部を閉め状態とするときには、下方まで退避したカバー部を上方に持ち上げる作業が必要となるため、カバー部を持ち上げた上で更に手前に引き出す２段階での操作が必要となると共に、とりわけ、介護が必要な方にとっては、このような大きな力を必要とする作業は困難となる問題が発生する。
【０００５】
加えて、カバー部を下方まで退避させると、そのためのスライド機構等の設置作業を要し製造が複雑となるため、手間とコストを要するばかりか、カバー部があまりに後方に飛び出すと見栄えが低下すると同時に、介護者が被介護者に近付いて適切に作業することが困難となる。
【０００６】
これらの取扱いや製造の困難性は、介護用以外の移動可能なポータブルトイレにおいても、同様に回避されるべきであるのは勿論のこと、更には、移動可能なポータブルトイレのみならず、介護施設等において固定して設置される水洗トイレにおいても、同様に回避すべき問題点であるといえる。
【特許文献１】特開２００４−９７３４１号公報
【特許文献２】特許第３６４８４２１号公報
【特許文献３】特開２００６−４３３０９号公報
【発明の開示】
【発明が解決しようとする課題】
【０００７】
本発明が解決しようとする課題は、上記の問題点に鑑み、介護者や被介護者による取扱い性の容易性を確保しつつ、同時に簡易に製造することができるトイレを提供することにある。
【課題を解決するための手段】
【０００８】
本発明は、上記の課題を解決するための第１の手段として、便器本体を備えた椅子型本体と、便器本体の上方に設置される便座と、椅子型本体に揺動自在に取り付けられて便座の開口部を開閉自在に覆うカバー部と、椅子型本体に支持された背もたれとを備えたトイレにおいて、カバー部は、２カ所以上で相互に揺動自在に連結された複数の分割片から成っていることを特徴とするトイレを提供するものである。
【０００９】
本発明は、上記の課題を解決するための第２の手段として、上記第１の解決手段において、カバー部を構成する複数の分割片は、揺動により多角形を形成するように折り畳まれて、椅子型本体と背もたれとの間の空間を通過して椅子型本体の後方に変位することにより便座の開口部を開き状態とすることを特徴とするトイレを提供するものである。
【００１０】
本発明は、上記の課題を解決するための第３の手段として、上記第１又は第２のいずれかの解決手段において、カバー部を構成する複数の分割片は、椅子型本体に直結された第一片により他の分割片を支持するように折り畳まれることを特徴とするトイレを提供するものである。
【００１１】
本発明は、上記の課題を解決するための第４の手段として、上記第１乃至第３のいずれかの解決手段において、カバー部を構成する複数の分割片のうち椅子型本体に直結された第一片は、椅子型本体に対して揺動することにより便座とは反対方向を向くように保持されて椅子型本体から突出することを特徴とするトイレを提供するものである。
【００１２】
本発明は、上記の課題を解決するための第５の手段として、上記第１乃至第４のいずれかの解決手段において、カバー部を構成する複数の分割片は、便座の開口部を開き状態とした状態で、背もたれと椅子型本体との間に、腕を入れることができる作業スペースを形成するように折り畳まれることを特徴とするトイレを提供するものである。
【００１３】
本発明は、上記の課題を解決するための第６の手段として、上記第１乃至第５のいずれかの解決手段において、カバー部を構成する各分割片の揺動方向における幅は、椅子型本体と背もたれとの間の距離よりも短く形成されていることを特徴とするトイレを提供するものである。
【００１４】
本発明は、上記の課題を解決するための第７の手段として、上記第１乃至第６のいずれかの解決手段において、カバー部を構成する複数の分割片のうち椅子型本体に直結された第一片は、他の分割片よりも揺動方向における幅が長く形成されていることを特徴とするトイレを提供するものである。
【００１５】
本発明は、上記の課題を解決するための第８の手段として、上記第１乃至第７のいずれかの解決手段において、カバー部を構成する複数の分割片のうち椅子型本体に直結された第一片とは最も反対側の最終片は引き手を有し、この最終片は、便座の開口部を開き状態としたときに引き手が椅子型本体と背もたれとの間の空間に臨むように配置されることを特徴とするトイレを提供するものである。
【００１６】
本発明は、上記の課題を解決するための第９の手段として、上記第１乃至第８の解決手段において、カバー部は、２カ所で連結された３つの分割片から成り、揺動により、複数の分割片のうち椅子型本体に連結されて水平方向に保持された第一片により他の分割片を支持する三角形状に折り畳まれて、便座の開口部を開き状態とすることを特徴とするトイレを提供するものである。
【発明の効果】
【００１７】
本発明によれば、上記のように、２カ所以上で相互に揺動自在に連結された複数の分割片からカバー部を構成しているため、折り畳んでも高さ方向に嵩張ることがなく、背もたれと椅子型本体の間に介護者が手や腕等を差し入れることができる作業スペースを容易に確保することができる実益がある。
【００１８】
この場合、本発明によれば、上記のように、カバー部を構成する複数の分割片は、揺動により三角形等の多角形を形成するように折り畳むことができるため、開き状態とした場合にも、カバー部が嵩張ることがなく、作業スペースを容易に確保することができると同時に、カバー部が後方に過分に突出して介護作業の支障となることがない実益がある。
【００１９】
また、本発明によれば、上記のように、更に、複数の分割片のうち椅子型本体に直結された第一片により、他の分割片を支持するように折り畳むことができるため、開き状態を安定的に保持することができる実益がある。
【００２０】
本発明によれば、上記のように、開き状態において、カバー部を構成する複数の分割片のうち椅子型本体に直結された第一片を、便座とは反対方向、即ち、便座と略水平となるように保持しているため、簡易な構成として容易に製造することが可能でありながら、カバー部を下方から持ち上げる作業が必要なくなり、大きな力を要することなく、かつ、手前に引き出すという１つの操作のみで、簡易に閉め状態とすることができる実益がある。
【００２１】
本発明によれば、上記のように、カバー部を構成する各分割片の揺動方向における幅を、椅子型本体と背もたれとの間の距離よりも短く形成しているため、カバー部を、折り畳みながら椅子型本体と背もたれとの間の空間を円滑に通過させて、排泄の支障とはならない椅子型本体の後方にまで円滑に変位させることができる実益がある。
【００２２】
本発明によれば、上記のように、カバー部を構成する複数の分割片のうち椅子型本体に直結された第一片は、他の分割片よりも揺動方向における幅が長く形成されているため、折り畳み時における他の分割片の高さを抑制して作業スペースを容易に確保することができると同時に、当該他の分割片を安定的に、かつ、確実に保持することができる実益がある。
【００２３】
本発明によれば、上記のように、カバー部を構成する複数の分割片のうち椅子型本体に直結された第一片とは最も反対側の最終片、即ち、閉め状態において最先端に位置する最終片に引き手を設け、この引き手を椅子型本体と背もたれとの間の空間に臨むように配置しているため、この引き手を簡易に把持することができ、手前に引き倒すだけで閉め作業を簡易に行うことができる実益がある。
【発明を実施するための最良の形態】
【００２４】
本発明の実施の形態を図面を参照しながら詳細に説明すると、図１乃至図３は、本発明のトイレ１０を示し、このトイレ１０は、主に、通常の居室等の任意の箇所に設置されて、介護が必要な方の排泄に使用される。但し、その用途や設置形態は特に問わず、その他、キャンプ場等の屋外施設や、災害時等における緊急用等の簡易型トイレ等として使用することもできる。また、このような可搬的な使用のみならず、介護施設等において固定的に設置される水洗トイレ等として使用することもできる。
【００２５】
このトイレ１０は、図１乃至図３に示すように、椅子型本体１２と、この椅子型本体１２に揺動自在に取り付けられたカバー部１４と、椅子型本体に支持された背もたれ１６とを備えている。
【００２６】
＜１．椅子型本体＞
椅子型本体１２は、図１乃至図３に示すように、通常の居室にも違和感なく設置できるように、家具調の外観を有し、通常では、家具として使用することができる。なお、この場合、椅子型本体１２の椅子としての形態には特に限定はなく、ユーザーが腰掛けることができ背もたれ１６を有すれば、図示とは異なり、ソファ状の形態とすることもできる。
【００２７】
一方、この椅子型本体１２は、特に図２及び図３に示すように、腰掛け位置の下方に、便器本体１８と、この便器本体１８の上方に設置される便座２０とを備えている。この便器本体１８は、図５に示すように、バケツ状の便槽１８Ａと、この便槽１８Ａを覆う蓋１８Ｂとから成り、椅子型本体１２の内部に着脱自在に設置されて、排泄物を廃棄する際等には、椅子型本体１２から取り出すことができる。
【００２８】
この蓋１８Ｂは、便槽１８Ａ内の臭気が外部に流出するのを防止する役割を有する。また、この蓋１８Ｂは、図５に示すように、介護が必要な方や力の弱い方であっても蓋１８Ｂの開閉や着脱、運搬を容易に行うことができるように、指を挿入することができる取っ手孔１８ａが形成されている。この取っ手孔１８ａは、蓋１８Ｂの前方において、便槽１８Ａの周縁に係合する部分よりも外周側にはみ出して形成されたフランジ部分に左右の２カ所に形成されている。これにより、臭気を遮断しつつ、容易に着脱することができる。この取っ手孔１８ａを有する蓋１８Ｂは、ポリプロピレン、ポリエチレン等の樹脂製材料を射出成形することにより製造することができる。なお、この蓋部１８Ｂには、この取っ手孔１８ａの他に、図５に示すように、取っ手突起１８ｂを設置することもできる。更には、便槽１８Ａに、図示しない揺動自在な持ち手を取り付けることにより、着脱や運搬作業を容易に行うことができる。
【００２９】
なお、便座２０は、椅子型本体１２に揺動自在に取り付けられ、使用時には、一旦上方へ揺動させて、便器本体１８の蓋部１８Ｂを取り外してから、再度、下方に揺動させることにより、ユーザーが、便座２０に着座して、その開口部を通じて排泄を行うことができる。
【００３０】
＜２．背もたれ＞
背もたれ１６は、図１乃至図３に示すように、椅子型本体１２の背部において、脚立により支持されて、椅子型本体１２の着座面との間に空間が形成されるように保持されている。なお、この背もたれ１６は、ユーザーの腰部、あるいは、腰部直上付近の背中に当接するような高さに設置することができる。これにより、ユーザーが心地よさを感じることができると同時に、使用時においてユーザーを確実に支えることができる。
【００３１】
＜３．カバー部＞
カバー部１４は、図１乃至図３に示すように、便座２０の開口部を開閉自在に覆い、通常では、図１に示すように、家具調の外観を有するトイレ１０の座面として使用される。従って、ある程度の厚み及びクッション性を有し、椅子としての使用にも充分に耐えることができるように形成する。但し、後述する開閉作業を容易に行うためにも、充分な強度を確保しつつも、可能な限り、軽量化することが望ましい。
【００３２】
このカバー部１４は、本発明においては、図１乃至図４に示すように、２カ所以上で相互に揺動自在に連結された複数の分割片から成っている。図示の実施の形態では、より具体的には、２ヵ所で揺動自在に連結された３つの分割片、即ち、椅子型本体１２に揺動自在に直結された第一片１４Ａと、この第一片１４Ａに揺動自在に連結された第二片１４Ｂと、この第二片１４Ｂに更に揺動自在に連結されて最終片となる第三片１４Ｃとから成っている。
【００３３】
これらの３つの分割片のうち、椅子型本体１２に直結された第一片１４Ａは、特に、図２及び図３に示すように、椅子型本体１２の座面部の後端付近に揺動自在に取り付けられ椅子型本体１２に対して、椅子型本体１２の前後方向に向けて揺動する。また、図１乃至図４に示すように、次の第二片１４Ｂは、この第一片１４Ａの揺動方向における端面に揺動自在に連結され、更に続く第三片１４Ｃも、同様に、第二片１４Ｂの揺動方向における第１片１４Ａとは反対側の端面に揺動自在に連結されている。従って、第一片１４Ａと同方向に向けて揺動自在に連結された第二片１４Ｂ及び第三片１４Ｃも、椅子型本体１２の前後方向に向けて揺動することができ、これにより、カバー部１４全体として、椅子型本体１２に対して、その前後方向に揺動することができる。
【００３４】
この場合、これらの複数の分割片のうち、特に、椅子型本体１２に直結された第一片１４Ａは、図２及び図３に示すように、トイレ１０の後方へ揺動後、トイレ１０の背面において、便座２０とは反対方向を向くように保持されて椅子型本体１２から突出する。より具体的には、Ｌ型ヒンジ２２により、トイレ１０の後方に向けて水平となるように揺動自在に椅子型本体１２に取り付けられ、その水平位置より下方には揺動しないように設定されている。但し、この第一片は、設定上水平状態となるように設置されていれば、カバー部１４の自重により多少下方に撓むことがあってもよい。
【００３５】
一方、他の分割片１４Ｂ、１４Ｃは、図２乃至図４に示すように、それぞれ隣接する他の分割片とは、ヒンジ２４により揺動自在に連結されている。この場合、これらの分割片１４Ａ乃至１４Ｃは、上記の通り、ある程度の厚みを有するため、第二片１４Ｂ及び第三片Ｃも、それぞれ隣接する他の分割片の端面に当接することにより、それ以上の揺動が規制される。従って、水平方向に向けて突出するように設定された第１片１４Ａに連結された他の分割片１４Ｂ、１４Ｃも、第１片１４Ａを、その裏面が上方を向いて便座２０とは反対方向に向けて水平に保持された状態では、同様に、それより下方に向けて（カバー部１４の表面側に向けて）揺動することが規制され、カバー部１４の裏面側に向けて内側にのみ揺動することができる状態となる。
【００３６】
これにより、カバー部１４を構成する複数の分割片１４Ａ乃至１４Ｃは、トイレ１０の後方へ向けて揺動させることにより、図２及び図３に示すように、少なくとも第一片１４Ａを底辺とする多角形を形成するように、具体的には、２ヵ所で揺動自在に連結された３つの分割辺１４Ａ乃至１４Ｃから成る図示の実施の形態のカバー部１４においては、第二片１４Ｂ及び第三片１４Ｃがカバー部１４の裏面側に向けてそれぞれ揺動することにより、トイレ１０を側面から見た場合に三角形を形成するように折り畳まれて、椅子型本体１２と背もたれ１６との間の空間を通過して、椅子型本体１２の後方に変位することができ、これにより、便座２０の開口部を、図１に示す閉め状態から、図２及び図３に示す開き状態とすることができる。
【００３７】
この場合、カバー部１４を構成する複数の分割片は、椅子型本体１２に直結された第一片１４Ａにより他の分割片１４Ｂ、１４Ｃを支持するように折り畳まれ、第二片１４Ｂ及び第三片１４Ｃは、椅子型本体１２に直結されて水平に保持される第一片１４Ａの上方に位置することになる。従って、この第一片１４Ａは、特に図３及び図４から解るように、他の分割片１４Ｂ、１４Ｃよりも揺動方向における幅が長く形成することが望ましい。これにより、相対的に他の分割片１４Ｂ及び１４Ｃの揺動方向における幅を小さくすることができ、折り畳み時における他の分割片１４Ｂ及び１４Ｃの高さを抑制して、後述する作業スペース２６を容易に確保することができると同時に、これらの他の分割片１４Ｂ及び１４Ｃを安定的に、かつ、確実に保持することができる。
【００３８】
また、これらの各分割片１４Ａ乃至１４Ｃの揺動方向における幅は、図１乃至図３に示すように、椅子型本体１２と背もたれ１６との間の距離よりも短く形成されている。従って、カバー部１４を、折り畳みながら椅子型本体１２と背もたれ１６との間の空間を円滑に通過させて、図２及び図３に示すように、排泄の支障とはならない椅子型本体１２の後方にまで円滑に変位させることができる。
【００３９】
加えて、このように各分割片１４Ａ乃至１４Ｃの幅を短く設定し、かつ、２ヵ所以上で相互に揺動自在に連結さらたこれらの複数の分割片１４Ａ乃至１４Ｃを、更に上記のように、いわば第一片１４Ａを底辺とする多角形状（図示の実施の形態では、三角形状）に折り畳んで保持することにより、折り畳まれた各分割片１４Ａ乃至１４Ｃが高さ方向に嵩張ることがない。これにより、カバー部１４を構成する複数の分割片１４Ａ乃至１４Ｃは、図２及び図３に示すように、便座２０の開口部を開き状態とした状態で、背もたれ１６と椅子型本体１２との間に、介護者がトイレ１０の後方から腕を入れることができる作業スペース２６を形成するように、折り畳むことができる。この場合、同時に、三角形等の多角形を形成するように折り畳むことができるため、開き状態とした場合にも、カバー部１４が嵩張ることがなく、カバー部１４が後方に過分に突出して介護作業の支障となることもない。
【００４０】
更に、カバー部１４を構成する複数の分割片１４Ａ乃至１４Ｃのうち、椅子型本体１２に直結された第一片１４Ａとは最も反対側の最終片、即ち、図示の実施の形態においては、第三片１４Ｃは、図１乃至図４に示すように、その表面上にベルト状に設置された引き手２８を有する。この引き手２８は、ユーザー等がカバー部１４を揺動させる際に手を差し入れて、カバー部１４を把持するためのものである。
【００４１】
この場合、本発明においては、上記のように、複数の分割片１４Ａ乃至１４Ｃを裏面側に折り曲げて形成される多角形状（図示の実施の形態では、三角形状）に折り畳んでいるため、この持ち手２８を有する最終片（第三片１４Ｃ）が、図２及び図３に示すように、便座２０の開口部を開き状態としたときに引き手２８が椅子型本体１２と背もたれ１６との間の空間に臨むように配置される。これにより、図１に示す閉め状態では勿論のこと、図２及び図３に示す開き状態においても、持ち手２８を容易に把持することができ、開閉作業を円滑に行うことができる。なお、この最終片（第三片１４Ｃ）の端面は、図３に示すように、第一片１４Ａに係合させることもができるが、揺動による開閉角度を調整して、椅子型本体１２の後端部に係合させることもできる。これにより、より安定的に、開き状態とした場合のカバー部１４を支持することができる。
【００４２】
なお、図示の実施の形態においては、カバー部１４を、２ヵ所において相互に揺動自在に連結される３つの分割片１４Ａ乃至１４Ｃから形成したが、作業スペース２６の確保や円滑な開閉作業に影響を与えなければ、３ヵ所以上において揺動自在に連結される４つ以上の分割片とすることができるのは、勿論である。
【００４３】
＜４．使用方法＞
次に、本発明のトイレ１０の使用状態について説明すると、通常時では、図１に示すように、カバー部１４を閉め状態として、いわば椅子等の家具として使用することができる。一方、排泄等のトイレ１０としての使用をする場合には、引き手２８を把持して、カバー部１４を、後方へ押しやることにより、図２及び図３に示すように、トイレ１０の後方において三角形状に折り畳んで保持することにより、便座２０の開口部を開き状態として使用する。この場合、介護者が、作業スペースから腕などを差し入れて、排泄後の拭き取り処理等の介護作業を円滑に行うことができる。
【００４４】
一方、使用後に、再び、カバー部１４を、閉め状態とする場合には、引き手２８を把持して、手前に引き倒すという１つの操作のみで、便座２０の開口部を閉め状態とすることができる。この場合、特筆すべきは、上記のように、作業スペース２６を確保しつつ、同時に、カバー部１４を下方から持ち上げる作業が必要なくなり、大きな力を要することなく容易に閉め状態とすることができると同時に、持ち上げ及び引き倒しという複数の異なる作業をすることなく、手前に引き出すという１つの操作のみで、簡易に閉め状態とすることができる点である。更には、これらの利便性を、溝やレール等の複雑な機構を要せず、ヒンジ２２、２４という簡易な構成のみで達成しているため、簡易な構成で、かつ、低コストで製造することができる。
【産業上の利用可能性】
【００４５】
本発明は、主に、居室等の任意の箇所に設置可能な介護用の簡易型トイレとして使用することができるほか、介護施設における固定式の水洗トイレや、また、キャンプ場等の屋外施設におけるトイレ、災害時における非常用のトイレ等として広く適用することができる。
【図面の簡単な説明】
【００４６】
【図１】本発明のトイレの閉め状態を示し、同図（Ａ）はその斜視図、同図（Ｂ）はその側面図である。
【図２】本発明のトイレの開け状態における斜視図である。
【図３】本発明のトイレの開け状態における側面図である。
【図４】本発明のトイレに使用されるカバー部を示し、同図（Ａ）は、その平面図、同図（Ｂ）はその底面図である。
【図５】本発明のトイレに使用される便器本体の斜視図である。
【符号の説明】
【００４７】
１０  トイレ
１２  椅子型本体
１４  カバー部
１４Ａ  第一片（分割片）
１４Ｂ  第二片（分割片）
１４Ｃ  第三片（分割片）
１６  背もたれ
１８  便器本体
１８Ａ  便槽
１８Ｂ  蓋
１８ａ  取っ手孔
１８ｂ  取っ手突起
２０  便座
２２  Ｌ型ヒンジ
２４  ヒンジ
２６  作業スペース
２８  引き手
【図１】
2008212217.tif 000003
【図２】
2008212217.tif 000004
【図３】
2008212217.tif 000005
【図４】
2008212217.tif 000006
【図５】
2008212217.tif 000007